(57)【特許請求の範囲】
【請求項１】
収納部を有するハウジングと、前記収納部の一端側に配設された固定端子と、この固定端子の近傍で前記収納部に配設された固定側接点と、両側にアーム部を有し、このアーム部の一方が前記固定端子に支持されると共に、他方のアーム部に前記固定側接点と接離される可動側接点が設けられたコイルばねと、前記収納部に配設され前記コイルばねの他方のアーム部が係止されると共に、前記コイルばねの付勢力に抗して前記可動側接点を前記固定側接点側へ移動させる操作レバーとを備え、前記固定側接点は、前記収納部の内底面に固着された突出部を有する平板部と、この平板部に折り曲げ形成された片側ばね片からなる板ばね状の接点板とを有し、前記接点板が前記可動側接点を前記平板部の突出部に片側からその弾性で押圧することにより、前記可動側接点が前記突出部と前記接点板間に挟持されるように形成したことを特徴とするスイッチ装置。
【請求項２】
前記平板部に設けられた突出部が、前記可動側接点の移動軌跡に沿って長尺状に形成されていることを特徴とする請求項１記載のスイッチ装置。
【請求項３】
前記固定側接点は、前記固定端子と前記操作レバーとの間の位置で、前記ハウジングの収納部に配設されていることを特徴とする請求項１、又は２記載のスイッチ装置。
【発明の詳細な説明】
【０００１】
【発明の属する技術分野】
本発明は、電子機器などのメカ駆動用の検出スイッチとして使用されるスイッチ装置に係り、特にコイルばねや板ばね等を使用した接点部の構造に関する。
【０００２】
【従来の技術】
従来の、検出スイッチの構造においては、接点部にコイルばねや板ばねを使用したものが知られている。この従来の検出スイッチの接点部の構造としては、可動側接点にコイルばねを使用し、このコイルばねからアーム部を延設して設けることにより、このアーム部を可動側接点として使用し、また、コイルばねを操作レバーの復帰用のばね部材として使用している。
【０００３】
このコイルばねがスイッチのハウジング等に取り付けられる場合には、コイルばねの巻回されたコイル部がハウジング等に固定されて固定端子に接続される。また、コイル部から延設されたアーム部には屈曲部が設けられ、この屈曲部やアーム部の自由端部が可動側接点として形成されている。この可動側接点の移動軌跡上には固定端子と対向して板ばねからなるクリップ状の固定側接点が形成されており、アーム部が操作レバーによって押圧されることにより可動側接点が移動され、固定側接点と接続されるものとなっている。
【０００４】
この時、可動側接点の移動軌跡はアーム部のコイル部との延設部を支点として円弧状に移動するものとなり、操作レバーとの当接部や固定側接点との接続部に動作の幅（すべり幅）が発生するものとなる。
【０００５】
【発明が解決しようとする課題】
しかしながら、上述した従来の検出スイッチの接点部の構造は、固定側接点としてクリップ状の板ばねを使用しており、この板ばねをハウジングに取り付ける場合に、クリップの可動範囲分だけハウジングの幅を厚くしなければならないことから、薄型化の対応が困難であると共に、固定側接点をクリップ状に加工するには加工難度が高く、材料の歩留まりも悪いという問題があった。
【０００６】
したがって、本発明では上述した問題点を解決し、検出スイッチの接点部の構造で、片側ばね片を用いることにより、スイッチの薄型化に対応できると共に、固定側接点の接触圧を安定させ、接触信頼性の良い検出スイッチの接点部の構造を提供することを目的とする。
【０００７】
【課題を解決するための手段】
上記課題を解決するために本発明では第１の手段として、収納部を有するハウジングと、前記収納部の一端側に配設された固定端子と、この固定端子の近傍で前記収納部に配設された固定側接点と、両側にアーム部を有し、このアーム部の一方が前記固定端子に支持されると共に、他方のアーム部に前記固定側接点と接離される可動側接点が設けられたコイルばねと、前記収納部に配設され前記コイルばねの他方のアーム部が係止されると共に、前記コイルばねの付勢力に抗して前記可動側接点を前記固定側接点側へ移動させる操作レバーとを備え、前記固定側接点は、前記収納部の内底面に固着された突出部を有する平板部と、この平板部に折り曲げ形成された片側ばね片からなる板ばね状の接点板とを有し、前記接点板が前記可動側接点を前記平板部の突出部に片側からその弾性で押圧することにより、前記可動側接点が前記突出部と前記接点板間に挟持されるように形成したことを特徴とする。
【０００９】
また、第２の手段として、前記平板部に設けられた突出部が、前記可動側接点の移動軌跡に沿って長尺状に形成されていることを特徴とする。
【００１０】
また、第３の手段として、前記固定側接点は、前記固定端子と前記操作レバーとの間の位置で、前記ハウジングの収納部に配設されていることを特徴とする。
【００１１】
【発明の実施の形態】
以下、本発明の１実施例を図１乃至図１１に示す。図１は検出スイッチの平面図、図２は可動側接点及び固定側接点の平面図、図３は同じく側面図、図４及び図５は可動側接点と固定側接点との接続状態を示す説明図である。
【００１２】
図において、ハウジング１は、合成樹脂などの絶縁材で内部に収納部１ａを有する箱状に形成されている。また、このハウジング１には、一側部に後述する操作レバー５が突出されて配設される開口部１ｂが設けられている。
【００１３】
前記ハウジング１の収納部１ａの一端部には、導電性の板材を折り曲げ直立して形成された固定端子２が配設されている。この固定端子２の自由端側には凹状の切り欠き部２ａが形成されており、この切り欠き部２ａに後述するコイルばね４の一方のアーム部４ｄが係止されるものとなっている。また、この固定端子２の他端側は、前記ハウジング１の外方へ導出されて、図示しない電子機器の回路基板の回路パターンなどと接続される接続端子（図示せず）が形成されている。
【００１４】
前記収納部１ａの前記固定端子２の近傍には、これも導電性の板材を折り曲げて形成された固定側接点３が配設されている。この固定側接点３には、前記収納部１ｃの内底面に固着された突出部３ａを有する平板部３ｂと、この平板部３ｂに折り曲げ形成され、後述する可動側接点４ｆが挿入されて接続される板ばね状の接点板３ｃとが形成されている。また、この固定側接点３の他端側は、前記ハウジング１の外方へ導出されて、同じく接続端子（図示せず）が形成されたものとなっている。
【００１５】
コイルばね４は、導電性の線材で形成されており、その中央に巻回状のコイル部４ａを有し、このコイル部４ａの両側には、放射状に延設された一対のアーム部４ｂ、４ｃがそれぞれ設けられている。このアーム部４ｂ、４ｃの自由端側には、直角方向へ折り曲げられた屈曲部４ｄ、４ｅが設けられており、この屈曲部４ｄ、４ｅの一方の屈曲部４ｄが前記固定端子２に設けられた切り欠き部２ａと係止され、他方の屈曲部４ｅが後述する操作レバー５の係止孔５ａに係止されている。また、この屈曲部４ｅと前記コイル部４ａの中間部が、Ｌ字形に折り曲げられてこの屈曲部が、前記固定側接点３の前記接点板３ｃと接続される可動側接点４ｆとなっている。
前記コイルばね４は、一対の前記アーム部４ｂ、４ｃが、前記固定端子２と操作レバー５とに係止されることにより、前記コイル部４ａはフリーの状態で前記ハウジング１の収納部１ａに配設されるものとなっている。この結果、前記コイルばね４は、前記アーム部４ｂ、４ｃの屈曲部４ｄ、４ｅ同士を結ぶ線に沿って撓むこととなり、前記可動側接点４ｆの移動軌跡の横方向の移動を、極めて少なく設定することが可能となっている。
【００１６】
操作レバー５は、合成樹脂などの絶縁材で略三角形状に形成されており、この操作レバー５の中央には前記アーム部４ｃの屈曲部４ｅが係止される係止孔５ａが設けられている。この係止孔５ａに係止された前記屈曲部４ｅが移動される事により、前記可動側接点４ｆは前記操作レバー５の動きに伴って、前記固定側接点３と接離されるものとなっている。
【００１７】
また、前記操作レバー５の両側部には、前記ハウジング１の収納部１ａの上面に当接されて回動可能に係止される回動軸部５ｂ、５ｃが形成されている。この回動軸部５ｂ、５ｃを前記操作レバー５の両側部に設けることにより、前記操作レバー５は左右の両方向へ傾倒操作させることが可能となっており、前記操作レバー５が一方向に傾倒操作された時には、傾倒方向とは反対側の前記回動軸部５ｂ（又は５ｃ）を支点として前記操作レバー５が回動されるものとなっている。また、前記回動軸部５ｂ、５ｃを、前記収納部１ａの側壁に沿って押圧方向へ平行移動させることにより、押圧方向への操作も可能となっている。
【００１８】
また、前記ハウジング１の収納部１ａを覆うように、薄板の金属板などから方形状に形成されたカバー（図示せず）が取り付けられており、前記コイルばね４や前記操作レバー５等の飛び出しを防止している。
【００１９】
次に、上述した本発明の検出スイッチの動作を図６乃至図１１で説明する。
図６乃至図１１は、検出スイッチの操作レバーの操作時の接点部の動作状態を示す説明図で、図６は左方向へ操作レバーが傾倒される途上の状態を示す説明図、図７は操作レバーが左方向へ傾倒された状態を示す説明図、図８は右方向へ操作レバーが傾倒される途上の状態を示す説明図、図９は操作レバーが右方向へ傾倒された状態を示す説明図、図１０は押圧方向へ操作レバーが押圧される途上の状態を示す説明図、図１１は操作レバーが押圧方向へ押圧された状態を示す説明図である。
【００２０】
まず、初期の状態（図１）から、前記操作レバー５を図示しないメカにより図示左方向へ傾倒操作させる。この時、前記操作レバー５は図示右側の前記回動軸部５ｂを支点として、反時計方向へ回動することから、前記可動側接点４ｆは前記操作レバー５の回動に伴って前記固定側接点３と接続されるものとなる。
この時、前記可動側接点４ｆは横方向へ、その移動軌跡がずれるが、前記可動側接点４ｆは前記接点板３ｃと前記平板部３ｂの突出部３ａに両側から挟持されて接点部同士は両面接触となり、接触が安定した状態で移動されるものとなる。（図６）
【００２１】
このように、前記固定側接点３は、前記収納部１ｃの内底面に固着された前記突出部３ａを有する前記平板部３ｂと、前記平板部３ｂに折り曲げ形成された板ばね状の接点板３ｃとから形成されていることから、両側にクリップ状の板ばねを有する従来の構成に比べて、ハウジングの幅の薄型化の対応が容易であると共に、加工性、及び材料の歩留まりが良好で、接触信頼性の良い検出スイッチの接点部の構造が得られるものとなっている。
【００２２】
更に、前記操作レバー５を図示左方向へ最後まで傾倒操作させると、前記可動側接点４ｆは、前記接点板３ｃと前記突出部３ａ内を挟持された状態で図示下方向へ移動されるものとなっている。（図７）
この場合、前記コイルばね４は、一対の前記アーム部４ｂ、４ｃが、前記固定端子２と前記操作レバー５とに係止されることにより、前記コイル部４ａはフリーの状態で前記ハウジング１の収納部１ａに配設されるものとなっていることから、前記コイルばね４は、前記アーム部４ｂ、４ｃの屈曲部４ｄ、４ｅ同士を結ぶ線に沿って撓むこととなり、前記可動側接点４ｆの移動軌跡の横方向の移動を、極めて少なく設定することが可能となっている。
【００２３】
図８及び図９は、前記操作レバー５を図示右方向へ傾倒させた場合を示しており、この時、前記操作レバー５は図示左側の前記回動軸部５ｃを支点として、時計方向へ回動することから、前記可動側接点４ｆは前記操作レバー５の回動に伴って前記固定側接点３と接続されるものとなる。
この時も、図５に示すように前記可動側接点４ｆは横方向へその移動軌跡がずれるが、同じように前記可動側接点４ｆは前記接点板３ｃと前記平板部３ｂの突出部３ａに両側から挟持されて接点部同士は両面接触となり、接触が安定した状態で移動されるものとなる
【００２４】
図１０及び図１１は、前記操作レバー５を図示下方向へ垂直に押圧した場合を示しており、この時、前記操作レバー５は両側部に設けられた前記回動軸部５ｂ、５ｃが前記ハウジング１の収納部１ａの両側壁に沿って、前記操作レバー５の押圧方向すなわち図示下方向へ移動することから、前記可動側接点４ｆは前記操作レバー５の移動に伴って前記固定側接点３と接続されるものとなる。
【００２５】
図７、図９、図１１の状態から、それぞれ前記操作レバー５への押圧を解除することにより、前記操作レバー５は、前記コイルばね４の付勢力によって図１に示す初期の状態に復帰するものとなる。
【００２６】
【発明の効果】
以上説明したように、本発明の検出スイッチは、可動側接点が接離される固定側接点を、収納部の内底面に固着された突出部を有する平板部と、この平板部に折り曲げ形成された板ばね状の接点板とを有し、接点板が可動側接点を平板部の突出部に押圧することにより、可動側接点が突出部と接点板間に挟持されるように形成したことから、両側にクリップ状の板ばねを有する従来の構成に比べて、ハウジングの幅の薄型化の対応が容易であると共に、加工性、及び材料の歩留まりが良好で、接触信頼性の良い検出スイッチの接点部の構造が得られる。
【００２７】
また、可動側接点は、コイルばねのアーム部の中央に設けられた屈曲部で形成すると共に、固定側接点には、屈曲部が挿入され挟持される、折り曲げ形成されたクリップ状の接点板を形成したことから、部品の構成が簡易となり、ローコスト対応が可能となる。
【００２８】
また、平板部に設けられた突出部が、可動側接点の移動軌跡に沿って長尺状に形成されていることから、接触範囲が長く取れることで接触の安定化が図れる。
【００２９】
また、固定側接点は、固定端子と操作レバーとの間の位置で、ハウジングの収納部に配設されていることから、操作レバーと重ならないため、更にハウジングの薄型化が図れる。
【図面の簡単な説明】
【図１】本発明の第１の実施例である検出スイッチを示す正面図である。
【図２】本発明の同じく可動側接点及び固定側接点を示す平面図である。
【図３】本発明の同じく可動側接点及び固定側接点を示す側面図である。
【図４】本発明の同じく可動側接点と固定側接点との接続状態を示す説明図である。
【図５】本発明の同じく可動側接点と固定側接点との接続状態を示す説明図である。
【図６】本発明の同じく検出スイッチの左方向へ操作レバーが傾倒される途上の状態を示す説明図である。
【図７】本発明の同じく検出スイッチの操作レバーが左方向へ傾倒された状態を示す説明図である。
【図８】本発明の同じく検出スイッチの右方向へ操作レバーが傾倒される途上の状態を示す説明図である。
【図９】本発明の同じく検出スイッチの操作レバーが右方向へ傾倒された状態を示す説明図である。
【図１０】本発明の同じく検出スイッチの押圧方向へ操作レバーが押圧される途上の状態を示す説明図である。
【図１１】本発明の同じく検出スイッチの操作レバーが押圧方向へ押圧された状態を示す説明図である。
【符号の説明】
１  ハウジング
１ａ  収納部
１ｂ  開口部
２  固定端子
２ａ  切り欠き部
３  固定側接点
３ａ  突出部
３ｂ  平板部
３ｃ  接点板
４  コイルばね
４ａ  コイル部
４ｂ、４ｃ  アーム部
４ｄ、４ｅ  屈曲部
４ｆ  可動側接点（屈曲部）
５  操作レバー
５ａ  係止孔
５ｂ、５ｃ  回動軸部
【図１】
0003964093.tif 000002
【図２】
0003964093.tif 000003
【図３】
0003964093.tif 000004
【図４】
0003964093.tif 000005
【図５】
0003964093.tif 000006
【図６】
0003964093.tif 000007
【図７】
0003964093.tif 000008
【図８】
0003964093.tif 000009
【図９】
0003964093.tif 000010
【図１０】
0003964093.tif 000011
【図１１】
0003964093.tif 000012